(57)【要約】【課題】筆巻からの筆の抜け落ちを完全に防止できる筆巻ホルダを提供する。【解決手段】巻いた状態の筆巻２０の両端部２０ａ、２０ｂに着脱自在に被せて取り付けられる一対のキャップ１１Ａ、１１Ｂと、両キャップ１１Ａ、１１Ｂを互いに連結する連結手段１４と、を備える。各キャップ１１Ａ、１１Ｂは、筆巻２０の端部２０ａ、２０ｂを収容する筒部１２と、筒部１２の一端１２ａを閉塞しその内面側が筆巻２０の端に接する端板部１３と、を有する。連結手段１４は、両キャップ１１Ａ、１１Ｂに架け渡される連結部材１５と、連結部材１５の両端部１５ａ、１５ｂを着脱自在に保持すべく各キャップ１１Ａ、１１Ｂの筒部１２に設けられた保持部材１６と、を有する。【選択図】図１
0003221637.tif 000002
【実用新案登録請求の範囲】
【請求項１】
巻いた状態の筆巻の両端部に着脱自在に被せて取り付けられる一対のキャップと、両キャップを互いに連結する連結手段と、を備え、
各キャップは、前記筆巻の端部を収容する筒部と、当該筒部の一端を閉塞しその内面側が前記筆巻の端に接する端板部と、を有し、
前記連結手段は、両キャップに架け渡される連結部材と、当該連結部材の両端部を着脱自在に保持すべく各キャップの前記筒部に設けられた保持部材と、を有することを特徴とする、筆巻ホルダ。
【請求項２】
前記連結手段は、前記筆巻の両端部に取り付けられた前記一対のキャップの周方向における少なくとも二個所に配置される、請求項１に記載の筆巻ホルダ。
【請求項３】
前記連結部材は、両端部に第１の面ファスナ部を有する帯状の部材であり、
前記保持部材は、前記第１面ファスナ部が貼り着く第２の面ファスナ部を有する、請求項１または請求項２に記載の筆巻ホルダ。
【請求項４】
前記端板部の内面はクッション材で覆われている、請求項１から３のいずれか一項に記載の筆巻ホルダ。
【考案の詳細な説明】
【技術分野】
【０００１】
本考案は、書道用や水墨画用の筆を保護する筆巻に装着される筆巻ホルダに関する。
【背景技術】
【０００２】
書道や水墨画の分野では、穂の毛質や軸の太さの異なる複数種類の筆が使用される。これら複数種類の筆をまとめて携帯するための器具として、筆巻が使用される。
【０００３】
筆巻は、複数本の竹ひごを簾状に連結してなる筆巻本体を有する。筆巻は、広げた筆巻本体の上に、竹ひごの長さ方向に沿わせて筆を載せ、筆を中心に筆巻本体を巻いた後、筆巻本体の周囲に紐や帯など締め具を巻き付けることにより、巻いた状態に保たれる。巻いた状態の筆巻は剛性が高く、筆巻本体を構成する複数の竹ひごによって筆を保持しつつ外力や衝撃等から保護し得る。
【０００４】
しかし、筆巻は、締め具による締め付けが不十分であったり、締め具が弛んだりすると、筆巻本体の巻きが弛み、携帯時に筆が抜け落ちやすくなる。特に、面相筆などの細軸の筆は抜け落ちやすい。
【０００５】
この問題の解消策として、例えば、筆が抜け落ちを防止するための布製のポケットを備えた所謂ポケット付き筆巻が提案されている（特許文献１参照）。
【先行技術文献】
【特許文献】
【０００６】
【特許文献１】実用新案登録第３１２１４０２号公報
【考案の概要】
【考案が解決しようとする課題】
【０００７】
ポケット付き筆巻は、筆の軸端（筆尻）をポケットに挿し込んだ状態で筆巻本体を巻き、ポケット側を下にして携帯することで、携帯時の筆の抜け落ちを防止することができる。
【０００８】
しかし、ポケット付き筆巻は、上下を逆にすると筆の抜け落ちが発生する。すなわち、ポケット付き筆巻では、筆の抜け落ちを完全に防止することはできない。
【０００９】
本考案の目的は、上記の課題に鑑みて、筆巻からの筆の抜け落ちを完全に防止できる筆巻ホルダを提供することにある。
【課題を解決するための手段】
【００１０】
上記の課題を解決するために、本考案の一態様に係る筆巻ホルダは、巻いた状態の筆巻の両端部に着脱自在に被せて取り付けられる一対のキャップと、両キャップを互いに連結する連結手段と、を備え、各キャップは、筆巻の端部を収容する筒部と、当該筒部の一端を閉塞しその内面側が筆巻の端に接する端板部と、を有し、連結手段は、両キャップに架け渡される連結部材と、当該連結部材の両端部を着脱自在に保持すべく各キャップの筒部に設けられた保持部材と、を有することを特徴とする。
【００１１】
上記の筆巻ホルダの構成において、連結手段は、筆巻の両端部に取り付けられた一対のキャップの周方向における少なくとも二個所に配置されることが好ましい。
【００１２】
また、連結部材は、両端部に第１の面ファスナ部を有する帯状の部材であり、保持部材は、第１面ファスナ部が貼り着く第２の面ファスナ部を有することが好ましい。
【００１３】
さらに、端板部の内面はクッション材で覆われていることが好ましい。
【考案の効果】
【００１４】
本考案に係る筆巻ホルダによれば、これを筆巻に装着することで、筆巻からの筆の抜け落ちを完全に防止することができる。
【図面の簡単な説明】
【００１５】
【図１】本考案の一実施形態の筆巻ホルダを示す斜視図である。
【図２】図１に示す筆巻ホルダの概略側面図である。
【図３】図１に示す筆巻ホルダのキャップの断面図である。
【図４】（ａ）は筆巻の両端部にキャップを被せた状態を示す概略側面図である。（ｂ）は一方のキャップの保持部材に連結部材の一方の端部を貼り着けた状態を示す概略側面図である。
【考案を実施するための形態】
【００１６】
以下、本考案の一実施形態について詳細に説明する。なお、各図において、同一の符号を付したものは同一又は同様の構成を有する。
【００１７】
〔筆巻ホルダの構成〕
図１及び図２には、筆巻ホルダ１の使用状態、すなわち、筆３０を収容して巻いた状態の筆巻２０に筆巻ホルダ１を装着した状態が示されている。
【００１８】
筆巻２０は、筆巻本体２１と締め具２４とにより構成される一般的な筆巻である。筆巻本体２１は、竹ひご２２を木綿糸等の糸材２３を使用して簾状に編んだものである。筆巻本体２１の竹ひご２２の並び方向における両端（不図示）には、竹ひご２２よりも幅及び厚さの大きい竹製の端棒（不図示）がそれぞれ設けられている。
【００１９】
締め具２４は、紐２５と留め爪３５とを有する。紐２５の一端（不図示）は、筆巻本体２１を巻いたときに外側に配置される方の端棒（不図示）の長さ方向中央部に連結されており、紐２５の他端２５ａに留め爪３５が取り付けられている。
【００２０】
筆巻２０は、平らに広げた筆巻本体２１の上に、竹ひご２２の長さ方向に沿わせて一本又は複数本の筆３０を穂３１の向きを揃えて載せ、筆３０を包囲するように筆巻本体２１を巻いた後、筆巻本体２１の周囲に締め具２４の紐２５を巻き付けて締め込み、留め爪３５を紐２５と筆巻本体２１との間をくぐらせて紐２５の外側に引っ掛けることにより巻いた状態に保たれる。筆巻２０は、収容している筆３０の穂３１側を上にして携帯される。
【００２１】
筆巻ホルダ１は、巻いた状態の筆巻２０の両端部２０ａ、２０ｂに着脱自在に被せて取り付けられる一対のキャップ１１Ａ、１１Ｂと、筆巻２０に取り付けられた両キャップ１１Ａ、１１Ｂを互いに連結する連結手段１４と、を備えている。一方のキャップ１１Ａは、筆巻２０の携帯時に上になる方の端部（以下、「上端部」と記す）２０ａに装着される。他方のキャップ１１Ｂは、筆巻２０の携帯時に下になる方の端部（以下、「下端部」と記す）２０ｂに装着される。キャップ１１Ａ、１１Ｂは、例えば、筆巻２０の上端部２０ａに装着されるキャップ１１Ａは白色、筆巻２０の下端部２０ｂに装着されるキャップ１１Ｂは黒色、といった具合に少なくとも表面の色が互いに異なっている。
【００２２】
キャップ１１Ａ、１１Ｂは、円筒状の筒部１２と、筒部１２の一端１２ａを閉塞する端板部１３と、を有する。筒部１２は、筆巻２０の上端部２０ａ及び下端部２０ｂを収容する部分であり、端板部１３は筆巻２０の端２０ｃ、２０ｄに接する部分である。この例では、図３に示すように、端板部１３の内面１３ａはクッション材１８で覆われている。したがって、クッション材１８が筆巻２０の端２０ｃ、２０ｄに接する部分となる。
【００２３】
連結手段１４は、筆巻２０に取り付けられた状態のキャップ１１Ａ、１１Ｂの周方向における少なくとも二個所に配置される。この例では、図２に示すように、筆巻２０を挟んで互いに対向する二か所に連結手段１４が配置される。
【００２４】
各連結手段１４は、両キャップ１１Ａ、１１Ｂに架け渡される連結部材１５と、連結部材１５の両端部１５ａ、１５ｂを着脱自在に保持すべく、キャップ１１Ａ、１１Ｂの筒部１２の表面１２ｂに設けられた保持部材１６と、を有する。保持部材１６は、筒部１２の表面１２ｂの互いに対向する二か所に設けられている。
【００２５】
連結部材１５は、両端部１５ａ、１５ｂに第１の面ファスナ部１７Ａを有する柔軟な帯状の部材である。保持部材１６は、第１の面ファスナ部１７Ａが貼り着く第２の面ファスナ部１７Ｂを有する部材である。
【００２６】
〔筆巻ホルダの装着方法〕
次に、本実施形態に係る筆巻ホルダ１の装着方法について説明する。
まず、図４（ａ）に示すように、巻いた状態の筆巻２０の上端部２０ａ及び下端部２０ｂにキャップ１１Ａ、１１Ｂを被せる。このとき、一方のキャップ１１Ａに設けられた二つの保持部材１６の位置と、もう一方のキャップ１１Ｂに設けられた二つの保持部材１６の位置とを、筆巻２０の周方向において略一致させておく。
【００２７】
つぎに、図４（ｂ）に示すように、連結部材１５の一方の端部１５ａの第１の面ファスナ部１７Ａを一方のキャップ１１Ａの保持部材１６に貼り着ける。その後、連結部材１５の他方の端部１５ｂをもう一方のキャップ１１Ｂの保持部材１６に貼り着ける。このとき、連結部材１５をできるだけ緊張させておく。この作業を両連結手段１４について行う。これにより、図２に示すように、両キャップ１１Ａ、１１Ｂに連結部材１５が架け渡される。連結部材１５は、両キャップ１１Ａ、１１Ｂ間に緊張状態で架け渡されることが好ましいが、連結部材１５の若干の弛みは許容される。
【００２８】
上記のように構成された筆巻ホルダ１は、筆巻２０の上端部２０ａ及び下端部２０ｂにキャップ１１Ａ、１１Ｂを被せ、両キャップ１１Ａ、１１Ｂ間に連結部材１５を架け渡すことにより、両キャップ１１Ａ、１１Ｂの端板部１３の内面１３ａ側が筆巻２０の両端２０ｃ、２０ｄにそれぞれ接した状態に保たれる。筆巻２０に収容されている筆３０の移動は、両端板部１３により制限される。すなわち、筆巻２０に収容されている筆３０が筆巻２０の両端２０ｃ、２０ｄから外に出ることはない。
【００２９】
したがって、本実施形態に係る筆巻ホルダ１によれば、これを筆巻２０に装着することで、筆巻２０からの筆３０の抜け落ちを完全に防止することができる。
【００３０】
また、筆巻２０を挟んで互いに対向する二か所に連結手段１４が配置されるので、筆巻２０に装着された両キャップ１１Ａ、１１Ｂの姿勢を安定に保つことができる。
【００３１】
さらに、連結部材１５が、両端部１５ａ、１５ｂに第１の面ファスナ部１７Ａを有する帯状の部材であり、保持部材１６が、第１の面ファスナ部１７Ａが貼り着く第２の面ファスナ部１７Ｂを有する部材であるので、連結手段１４を簡単な構成で実現することができる。
【００３２】
そして、端板部１３の内面１３ａがクッション材１８で覆われているので、筆巻２０の両端２０ｃ、２０ｄ及び筆巻２０に収容されている筆３０が端板部１３の内面１３ａに直に当接することがない。これにより、携帯中の衝撃から筆巻２０及び筆３０を保護することができる。また、両キャップ１１Ａ、１１Ｂに連結部材１５を緊張状態で架け渡したときに、筆巻２０の両端２０ｃ、２０ｄによりクッション材１８が圧縮されるので、クッション材１８の弾発力により連結部材１５の緊張状態が維持される。
【００３３】
また、両キャップ１１Ａ、１１Ｂの色が互いに異なるので、筆巻２０のどちらの端２０ｃ、２０ｄを上にして携帯すべきかを容易に判別することができる。これにより、誤って筆３０の穂３１側を下にして携帯してしまうことによる穂３１の劣化を防止できる。
【００３４】
なお、本発明は上記の実施形態に限定されない。例えば、上記実施形態では、連結手段１４が二箇所に配置されているが、一箇所のみ又は三箇所以上配置されてもよい。
【００３５】
また、キャップ１１Ａ、１１Ｂの少なくとも一方の筒部１２の形状は、円筒状に限らず、多角筒状であってもよい。
【００３６】
さらに、キャップ１１Ａ、１１Ｂの少なくとも一方の筒部１２に、装飾目的や軽量化目的で一又は複数のスリットを設けてもよい。
【００３７】
そして、両キャップ１１Ａ、１１Ｂの色を互いに異らせる代わりに、一方のキャップ１１Ａともう一方のキャップ１１Ｂとの違いを容易に判別し得る目印や文字をそれぞれに付してもよい。例えば、一方のキャップ１１Ａの表面に「上」という文字を付し、もう一方のキャップ１１Ｂの表面に「下」と文字を付しておくことにより、筆巻ホルダ１を装着した筆巻２０のどちらの端２０ｃ、２０ｄを上にして携帯すべきかを付されている文字の意味によって容易に判別することができる。
【００３８】
また、筆巻ホルダ１は、所謂ポケット付き筆巻に装着して使用することも可能である。
【００３９】
さらに、筆巻ホルダ１は、プラスチック製など竹製以外の筆巻に装着して使用することも可能である。
【符号の説明】
【００４０】
１  筆巻ホルダ
１１Ａ  キャップ、
１１Ｂ  キャップ、
１２  筒部、
１２ａ  一端、
１３  端板部、
１３ａ  内面、
１４  連結手段、
１５  連結部材、
１５ａ  端部、
１５ｂ  端部、
１６  保持部材、
１７Ａ  第１の面ファスナ部、
１７Ｂ  第２の面ファスナ部、
１８  クッション材、
２０  筆巻、
２０ａ  上端部（端部）、
２０ｂ  下端部（端部）、
２０ｃ  端、
２０ｄ  端、
３０  筆。
【図１】
0003221637.tif 000003
【図２】
0003221637.tif 000004
【図３】
0003221637.tif 000005
【図４】
0003221637.tif 000006